(57)【要約】【課題】停止位置にかかわらず、機械室及びガバナで、非常止め装置が作動して昇降が停止したエレベータの復帰ができるエレベータの復帰方法及びエレベータの復帰装置を提供することにある。【解決手段】つるべ式に昇降動するエレベータにおいて、非常止め装置が作動して昇降が停止したエレベータの復帰方法であって、前記巻上機を支持する一対のマシンビーム間に吊元梁を設置する吊元梁設置工程と、吊元梁にチェーンブロックの掛けフックを掛け、チェーンブロックの吊フック及びチェーンをロープ通り穴からガバナ室に降ろすチェーンブロック設置工程と、メインロープの籠側部又は釣合錘側部にメインロープ吊具を挟着固定するメインロープ吊具取付工程と、チェーンブロックの吊フックをメインロープ吊具に掛けるメインロープ吊具吊り工程と、チェーンブロックのチェーンを巻き上げてメインロープ吊具を上昇させることで、籠又は釣合錘を上昇させて非常止め装置の作動を外す非常止め解除工程とを備える。【選択図】図１
2019156635.tif 000002
【特許請求の範囲】
【請求項１】
籠と釣合錘とをメインロープで連結し、機械室に設けた巻上機で前記メインロープを巻き上げて前記籠及び前記釣合錘をつるべ式に昇降動させると共に前記機械室の下に調速機が配置されたガバナ室を備えるエレベータにおいて、非常止め装置が作動して昇降が停止したエレベータの復帰方法であって、
前記機械室で、前記巻上機を支持する一対のマシンビーム間に吊元梁を設置する吊元梁設置工程と、
前記機械室で、前記吊元梁にチェーンブロックの掛けフックを掛け、前記チェーンブロックの吊フック及びチェーンをロープ通り穴から前記ガバナ室に降ろすチェーンブロック設置工程と、
前記ガバナ室で、前記メインロープの籠側部又は釣合錘側部にメインロープ吊具を挟着固定するメインロープ吊具取付工程と、
前記ガバナ室で、前記チェーンブロックの前記吊フックを前記メインロープ吊具に掛けるメインロープ吊具吊り工程と、
前記ガバナ室で、前記チェーンブロックの前記チェーンを巻き上げて前記メインロープ吊具を上昇させることで、前記籠又は前記釣合錘を上昇させて前記非常止め装置の作動を外す非常止め解除工程と、を備えるエレベータの復帰方法。
【請求項２】
前記一対のマシンビームには前記吊元梁の設置位置に補助梁を取付けてあると共に前記吊元梁は前記一対のマシンビームに取付けた前記補助梁から離れた位置に取付けてあり、前記吊元梁設置工程は、補助梁から離れた位置にある前記吊元梁を前記一対のマシンビームから外して前記補助梁の位置に設置する請求項１に記載のエレベータの復帰方法。
【請求項３】
前記吊元梁は一対の吊元梁材で構成してあり、前記チェーンブロック設置工程は、前記一対の吊元梁材間に通した吊元ピンに前記チェーンブロックの前記掛けフックを掛ける請求項１又は２に記載のエレベータの復帰方法。
【請求項４】
籠と釣合錘とをメインロープで連結し、機械室に設けた巻上機で前記メインロープを巻き上げて前記籠及び前記釣合錘をつるべ式に昇降動させると共に前記機械室の下に調速機が配置されたガバナ室を備え、前記巻上機を支持する一対のマシンビーム間には吊元梁が設置してあるエレベータにおいて、非常止め装置が作動して昇降が停止したエレベータの復帰方法であって、
前記機械室で、前記吊元梁に吊ロープの上端部を係止し、前記吊ロープをロープ通り穴に通して前記吊ロープの下端部を前記ガバナ室に降ろす吊ロープ設置工程と、
前記ガバナ室で、前記メインロープの籠側部又は釣合錘側部にメインロープ吊具を挟着固定するメインロープ吊具取付工程と、
前記ガバナ室で、チェーンブロックの掛けフックを前記吊ロープの下端に掛け、前記チェーンブロックの吊フックを前記メインロープ吊具に掛けるチェーンブロック設置工程と、
前記ガバナ室で、前記チェーンブロックのチェーンを巻き上げて前記メインロープ吊具を上昇させることで、前記籠又は前記釣合錘を上昇させて前記非常止め装置の作動を外す非常止め解除工程と、を備えるエレベータの復帰方法。
【請求項５】
籠と釣合錘とをメインロープで連結し、機械室に設けた巻上機で前記メインロープを巻き上げて前記籠及び前記釣合錘をつるべ式に昇降動させると共に前記機械室の下に調速機が配置されたガバナ室を備えるエレベータにおいて、非常止め装置が作動して昇降が停止したエレベータの復帰方法であって、
前記機械室で、一対の支柱と、前記一対の支柱の上端部間に架設した吊元梁と、補助柱とを有する吊元梁ユニットの前記支柱の各下端部を、前記巻上機を支持する一対のマシンビームに固定すると共に前記補助柱の上端部を前記支柱の上端部に取付け、前記補助柱の下端部を前記支柱の下端部から離れた位置で前記マシンビームに取付ける吊元梁ユニット設置工程と、
前記機械室で、チェーンブロックの掛けフックを前記吊元梁に掛け、前記チェーンブロックの吊フックを吊ロープ用吊具に掛けるチェーンブロック設置工程と、
前記ガバナ室で、前記メインロープの籠側部又は釣合錘側部にメインロープ吊具を挟着固定するメインロープ吊具取付工程と、
前記機械室で、前記吊ロープ用吊具に吊ロープの上端部を取付け、前記吊ロープの下端部を前記ガバナ室に降ろして、前記ガバナ室で前記メインロープ吊具に前記吊ロープの前記下端部を取付ける吊ロープ取付工程と、
前記機械室で、前記チェーンブロックのチェーンを巻き上げて、前記メインロープ吊具を上昇させることで、前記籠又は前記釣合錘を上昇させて非常止め装置の作動を外す非常止め解除工程と、を備えるエレベータの復帰方法。
【請求項６】
前記吊元梁は間隔をあけて対向配置した一対の吊元梁材を有し、前記チェーンブロック設置工程は、前記チェーンブロックの前記掛けフックを前記一対の吊元梁材間に通した吊元ピンに掛ける請求項５に記載のエレベータの復帰方法。
【請求項７】
籠と釣合錘とをメインロープで連結し、機械室に設けた巻上機で前記メインロープを巻き上げて前記籠及び前記釣合錘をつるべ式に昇降動させると共に前記機械室の下に調速機が配置されたガバナ室を備えるエレベータにおいて、非常止め装置が作動して昇降が停止したエレベータの復帰装置であって、
前記巻上機を支持する一対のマシンビーム間に設置する吊元梁と、
前記メインロープの籠側部又は釣合錘側部に挟着固定するメインロープ吊具と、
前記吊元梁に掛ける掛けフックと、前記メインロープ吊具を吊る吊フックとを有するチェーンブロックとを備え、
前記チェーンブロックのチェーンを巻き上げて前記メインロープ吊具を上昇させることで、前記籠又は前記釣合錘を引き上げて非常止め装置の作動を外すエレベータの復帰装置。
【請求項８】
前記マシンビームは前記吊元梁の取付け位置に補助梁を有し、前記吊元梁は補助梁の位置で前記マシンビームに荷重をあずけて取付けてある請求項７に記載のエレベータの復帰装置。
【請求項９】
籠と釣合錘とをメインロープで連結し、機械室に設けた巻上機で前記メインロープを巻き上げて前記籠及び前記釣合錘をつるべ式に昇降動させると共に前記機械室の下に調速機が配置されたガバナ室を備え、前記巻上機を支持する一対のマシンビーム間には吊元梁が設置してあるエレベータにおいて、非常止め装置が作動して昇降が停止したエレベータの復帰装置であって、
前記メインロープの籠側部又は釣合錘側部に挟着固定するメインロープ吊具と、
前記吊元梁に上端を係止し、下端をロープ通り穴からガバナ室に降ろす吊ロープと、
前記吊ロープの下端に掛ける掛けフックと、前記メインロープ吊具を吊る吊フックとを有するチェーンブロックとを備え、
前記チェーンブロックのチェーンを巻き上げて前記メインロープ吊具を上昇させることで、籠又は釣合錘を引き上げて非常止め装置の作動を外すエレベータの復帰装置。
【請求項１０】
籠と釣合錘とをメインロープで連結し、機械室に設けた巻上機で前記メインロープを巻き上げて前記籠及び前記釣合錘をつるべ式に昇降動させると共に前記機械室の下に調速機が配置されたガバナ室を備えるエレベータにおいて、非常止め装置が作動して昇降が停止したエレベータの復帰装置であって、
一対の支柱と、前記一対の支柱の上端部間に架設した吊元梁と、補助柱とを有し、前記支柱の各下端部は前記巻上機を支持する一対のマシンビームに固定されると共に前記補助柱は前記支柱の上端部と前記各マシンビームとの間に取付けられる吊元梁ユニットと、
前記メインロープの籠側部又は釣合錘側部に挟着固定されるメインロープ吊具と、
前記メインロープ吊具を吊る吊ロープと、
前記吊ロープを吊る吊ロープ用吊具と、
前記吊元梁に掛ける掛けフックと、前記吊ロープ用吊具を吊る吊フックとを有するチェーンブロックとを備え、
前記チェーンブロックのチェーンを巻き上げて前記メインロープ吊具を上昇させることで、籠又は釣合錘を引き上げて非常止め装置の作動を外すエレベータの復帰装置。
【請求項１１】
前記メインロープ吊具は、メインロープを挟着する一対の押さえ金具を有し、一対の押さえ金具は複数のボルトとナットで固定してあり、各押さえ金具には、ボルトとナットの取付け位置に記号が付してある請求項７〜１０のいずれか一項に記載のエレベータの復帰装置。
【発明の詳細な説明】
【技術分野】
【０００１】
本発明の実施形態は、非常止め装置が作動して昇降が停止したエレベータの復帰方法及びエレベータの復帰装置に関する。
【背景技術】
【０００２】
籠と釣合錘とをメインロープで連結し、機械室に設けた巻上機でメインロープを巻き上げて籠及び釣合錘をつるべ式に昇降動させると共に機械室の下に調速機が配置されたガバナ室を備えるエレベータが公知である。
【０００３】
係るエレベータにおいて、不具合等によりエレベータの籠又は釣合錘の非常止め装置が作動してしまった場合、非常止め装置の作動を解除するために、籠又は釣合錘を一度引き上げる必要がある。
【先行技術文献】
【特許文献】
【０００４】
【特許文献１】特開２０１７−１６５５７８号公報
【発明の概要】
【発明が解決しようとする課題】
【０００５】
しかしながら、籠又は釣合錘の停止位置によっては引き上げが困難な場合があった。
【０００６】
本実施形態の目的は、停止位置にかかわらず、機械室及びガバナで、非常止め装置が作動して昇降が停止したエレベータの復帰ができるエレベータの復帰方法及びエレベータの復帰装置を提供することにある。
【課題を解決するための手段】
【０００７】
実施形態に係るエレベータの復帰方法は、籠と釣合錘とをメインロープで連結し、機械室に設けた巻上機で前記メインロープを巻き上げて前記籠及び前記釣合錘をつるべ式に昇降動させると共に前記機械室の下に調速機が配置されたガバナ室を備えるエレベータにおいて、非常止め装置が作動して昇降が停止したエレベータの復帰方法であって、前記機械室で、前記巻上機を支持する一対のマシンビーム間に吊元梁を設置する吊元梁設置工程と、前記機械室で、前記吊元梁にチェーンブロックの掛けフックを掛け、チェーンブロックの吊フック及びチェーンをロープ通り穴から前記ガバナ室に降ろすチェーンブロック設置工程と、前記ガバナ室で、前記メインロープの籠側部又は釣合錘側部にメインロープ吊具を挟着固定するメインロープ吊具取付工程と、前記ガバナ室で、前記チェーンブロックの前記吊フックを前記メインロープ吊具に掛けるメインロープ吊具吊り工程と、前記ガバナ室で、前記チェーンブロックのチェーンを巻き上げて前記メインロープ吊具を上昇させることで、前記籠又は前記釣合錘を上昇させて前記非常止め装置の作動を外す非常止め解除工程と、を備えるエレベータの復帰方法である。
【０００８】
また、実施形態に係るエレベータの復帰装置は、籠と釣合錘とをメインロープで連結し、機械室に設けた巻上機で前記メインロープを巻き上げて前記籠及び前記釣合錘をつるべ式に昇降動させると共に前記機械室の下に調速機が配置されたガバナ室を備えるエレベータにおいて、非常止め装置が作動して昇降が停止したエレベータの復帰装置であって、前記巻上機を支持する一対のマシンビーム間に設置する吊元梁と、前記メインロープの籠側部又は釣合錘側部に挟着固定するメインロープ吊具と、前記吊元梁に掛ける掛けフックと前記メインロープ吊具を吊る吊フックとを有するチェーンブロックとを備え、前記チェーンブロックのチェーンを巻き上げて前記メインロープ吊具を上昇させることで、前記籠又は前記釣合錘を引き上げて非常止め装置の作動を外すエレベータの復帰装置である。
【図面の簡単な説明】
【０００９】
【図１】実施形態に係るエレベータの概略的構成を示す側面図である。
【図２】図１に示す機械室及びガバナ室の概略を示す縦断面図である。
【図３】非常止め装置の正面図である。
【図４】第１及び第２実施形態に係るエレベータの復帰装置に用いられる部品であって、マシンビームにおける設置状態を示す斜視図である。
【図５】第１及び第２実施形態に係るエレベータの復帰方法を実施するまえのマシンビームを示す斜視図である。
【図６】第１実施形態に係る籠側吊元梁の常設状態を示す斜視図である。
【図７】第１実施形態に係る吊元梁設置工程であって、マシンビームに常設してある吊元梁を取り外す工程を示す斜視図である。
【図８】第１実施形態に係る吊元梁設置工程であって、吊元梁を補助梁の位置にセットした状態を示す斜視図である。
【図９】第１実施形態に係る吊元梁にチェーンブロックの掛けフックを掛ける工程を示す斜視図である。
【図１０】各実施形態に係るメインロープ吊具の分解斜視図である。
【図１１】各実施形態に係るメインロープ吊具にピンを取付ける前の状態を示す斜視図である。
【図１２】各実施形態に係るメインロープ吊具の図であり、（ａ）は斜視図、（ｂ）は平面図、（ｃ）は側面図である。
【図１３】メインロープ吊具の押さえ金具の図であり、（ａ）は平面図、（ｂ）は正面図である。
【図１４】第２実施形態に係る釣合錘側吊元梁の設置工程を説明する図であり、マシンビームに釣合錘側吊元梁を取付ける前のマシンビームの端部を示す斜視図である。
【図１５】第２実施形態に係る釣合錘側吊元梁の設置工程を説明する図であり、マシンビームにアダプタを取付けた状態を示す斜視図である。
【図１６】第２実施形態に係る釣合錘側吊元梁をマシンビームに取付けた状態を示す斜視図である。
【図１７】第２実施形態に係る釣合錘側吊元梁に吊ロープを固定した状態を示す斜視である。
【図１８】第２実施形態に係る吊ロープをロープ通り穴に通した状態を示す斜視図である。
【図１９】第２実施形態に係る吊ロープにチェーブロックの掛けフックを掛けた状態を示す斜視図である。
【図２０】第３実施形態に係るエレベータの復帰装置の吊元梁ユニットの吊元梁を釣合錘側に設置した状態の斜視図である。
【図２１】第３実施形態に係るエレベータの復帰装置であって、マシンビームに各土台を取付けた状態を示す斜視図である。
【図２２】図２１に示す第１土台の取付け工程を示す斜視図である。
【図２３】図２１に示す第２土台を取付けた状態を示す斜視図であり、（ａ）は一方側から見た図であり、（ｂ）は（ａ）に対して反対側から見た図である。
【図２４】図２１に示す第３土台の取付け状態を示す斜視図である。
【図２５】第３実施形態の吊元梁ユニットの設置工程前の状態を示し、マシンビームに油飛散防止カバー及び固定用アングルを取付けた状態を示す斜視図である。
【図２６】図２５に示す油飛散防止カバー及び固定用アングルを取外した状態を示す斜視図である。
【図２７】台座に支柱を取付けた状態を示す斜視図である。
【図２８】（ａ）は支柱間に吊元梁を取付けた状態を示す図であり、（ｂ）は（ａ）に示す吊元梁の側面図であり、（ｃ）は（ａ）に示すＡ部の拡大図である。
【図２９】図２８に示す支柱及びマシンビームに補助柱を取付けた状態を示す斜視図である。
【図３０】（ａ）は第３実施形態に係る吊元梁にチェーンブロックの掛けフックを掛ける前の状態を示す斜視図であり、（ｂ）はチェーンブロックを吊上げるロープ掛け方を示す斜視図である。
【図３１】第３実施形態に係る吊元梁ユニットにチェーンブロックを取付けた状態を示す斜視図である。
【図３２】第３実施形態において、吊ロープ用吊具に吊ロープを取付けた状態を示す正面図である。
【図３３】吊ロープ用吊具に吊フックの掛け状態を示す斜視図であり、（ａ）は吊ロープ用吊具に吊ロープを取付けた状態であり、（ｂ）は吊ロープ用吊具に吊ロープを取付ける前の状態である。
【図３４】第３実施形態に係るエレベータの復帰装置の吊元梁ユニットの吊元梁を籠側に設置した状態の斜視図である。
【発明を実施するための形態】
【００１０】
[第１実施形態]
以下、第１実施形態について、図１〜図１３を参照して説明する。尚、図４及び図５には、第１及び第２実施形態を一緒に示しているが、第１及び第２実施形態は同時に実施するものではなく、必要に応じていずれか一方を実施する。
【００１１】
図１に示すように、エレベータ１は、建屋２に設けられた昇降路３を備えており、昇降路３の上には、図１及び図２に示すように、巻上機５を設置した機械室７と、機械室７の下に調速機８を設置したガバナ室９が設けられている。図２に示すように、巻上機５は一対のマシンビーム６、６の上に設置されている。図１に示すように、昇降路３には、籠１１と釣合錘１３とが設けてあり、籠１１と釣合錘１３とはメインロープ１５で連結されており、機械室７に設けた巻上機５でメインロープ１５を巻き上げて籠１１及び釣合錘１３をつるべ式に昇降動する。籠１１及び釣合錘１３は、それぞれ昇降路３に設けたガイドレール１７で昇降動が案内されている。籠１１及び釣合錘１３のような昇降体には、それぞれ非常止め装置１９が設けてあっても良い。
【００１２】
図３に示すように、非常止め装置１９は、ガイドレール１７の刃部１７ａを挟む位置に互いに間隔をあけて設けた楔受け２１ａ、２１ｂが設けてあり、各楔受け２１ａ、２１ｂには、上下に摺動可能な楔２２ａ、２２ｂが対向して設けてある。各楔２２ａ、２２ｂにはブレーキシュー２３が固定されている。楔受け２１ａ、２１ｂには、刃部１７ａとの対向面に上側ほど楔２２ａ、２２ｂの間隔を狭めるように傾斜したガイド面２４が形成されている。
【００１３】
昇降体（籠１１及び釣合錘１３）が定格速度を超過した速度で下降すると、この非常止め装置１９が作動して、楔２２ａ、２２ｂがガイド面２４に沿って上方に移動し、ガイドレール１７の刃部１７ａに圧接することで、昇降体（籠１１及び釣合錘１３）が停止する。
【００１４】
非常止め装置１９の作動を解除する場合には、昇降体（籠１１及び釣合錘１３）を吊り上げることで、ガイドレール１７に対して相対的に楔２２ａ、２２ｂが下降して、ガイドレール１７の刃部１７ａから離れる。これにより、非常止め装置１９の作動が解除される。
【００１５】
次に、第１実施形態に係るエレベータの復帰装置の構成について説明する。第１実施形態は、籠１１の非常止め装置１９の作動を解除するエレベータの復帰装置及び復帰方法である。第１実施形態のエレベータの復帰装置は、図４に示すように、機械室７において、巻上機５（図４及び図５では省略している）を支持する一対のマシンビーム６、６間に設置する籠側吊元梁（吊元梁）２５及び補助梁２７と、図１０及び図１１に示すメインロープ吊具２９及びチェーンブロック３１（図１１参照）とを備えている。
【００１６】
図４に示すように、籠側吊元梁２５は、一対の梁材２５ａ、２５ｂと、吊元ピン３３と、シム３５とで構成されている。各梁材２５ａ、２５ｂには、それぞれ下方に突出するピン受け２５ｃが形成されており、各梁材２５ａ、２５ｂのピン受け２５ｃには吊元ピン３３を挿通して固定されている。ここで、図６は籠側吊元梁２５が常設位置に取付けてある状態を示しているが、マシンビーム６、６に対する固定方法は同じなので、図６を参照して籠側吊元梁２５の固定方法について説明する。図６に示すように、各梁材２５ａ、２５ｂの両端部は、それぞれ対応するマシンビーム６、６の下片６ａに載置されており、籠側吊元梁２５の荷重を預けてある。また、各梁材２５ａ、２５ｂの両端部の下面にはシム３５がボルト３０ａとナット３０ｂで固定されている。シム３５はマシンビーム６の下片６ａの縁に隣接して設けてあり、これにより籠側吊元梁２５がマシンビーム６、６間で動かないように固定されている。
【００１７】
図４に示すように、補助梁２７は、予め各マシンビーム６、６の下面にボルトナットで固定されている。この補助梁２７は、メインロープ１５のロープ通り穴に対応する位置に設けてあり、籠側吊元梁２５の設置位置を示している。
【００１８】
図１０及び図１１に示すように、メインロープ吊具２９はメインロープ１５に取付けてあるが、第１実施形態では籠１１側のメインロープ１５に取付けてある。メインロープ吊具２９は、メインロープ１５を挟む一対の押さえ金具３７と、一対の吊プレート３９と、シャックル４１と、ピン４３（図１１参照）とを備えている。尚、メインロープ１５は複数のロープ１５ａで構成されている。
【００１９】
図１２及び図１３に示すように、押さえ金具３７には、メインロープ１５の各ロープ１５ａを配置する複数のロープ溝３７ａと、ロープ溝３７ａの左右に設けた固定部３７ｂとが左右方向に交互に形成してあり、図１１に示すように、一対の押さえ金具３７、３７でメインロープ１５の全てのロープ１５ａを挟んで、固定部３７ｂにボルト４２ａを挿通してナット４２ｂ（図１２（ｂ）（ｃ）参照）で固定してある。ロープ溝３７ａはロープ１５ａの本数と同じ数だけ並んで形成されている。図１１及び図１３に示すように、各押さえ金具３７には、数字の記号が付されており、ボルト４２ａとナット４２の締め付け作業をするときにどの位置のボルト４２ａとナット４２ｂの締め付けを行うかがメインロープ１５を挟む各押さえ金具３７側でわかるようにしてある。
【００２０】
図１１及び図１２に示すように一対の押さえ金具３７、３７の下部は、一対の吊プレート３９、３９で挟んで、吊プレート３９、３９及び押さえ金具３７、３７の下部をボルト４４ａとナット４４ｂとで固定してある。尚、図１２（ａ）に示すように、吊プレート３９、３９にもボルト挿通穴の位置に数字の記号が付されている。吊プレート３９、３９の左右両端部は各々ピン４３で止めてあり、図１１に示すように、各ピン４３はシャックル４１に挿入して、シャックル４１を吊プレート３９、３９間に止めてある。
【００２１】
チェーンブロック３１は、掛けフック３１ａと吊フック３１ｂを備えており、図９に示すように、掛けフック３１ａは籠側吊元梁２５の下端に固定した吊元ピン３３に掛けられている。図１０に示すように、チェーンブロック３１の吊フック３１ｂはシャックル４１に掛けられている。
【００２２】
また、第１実施形態では、メインロープ吊具２９及びチェーンブロック３１の巻上げチェーンはガバナ室９にあり、ガバナ室９でチェーンを巻き上げるようになっている。
【００２３】
次に、第１実施形態に係るエレベータの復帰方法を工程ごとに説明する。
（１）吊元梁設置工程
図４に示すように、機械室７で、一対のマシンビーム６、６間に籠側吊元梁２５を設置する。図５に示すように、籠側吊元梁２５は通常駆動している巻上機５の邪魔にならない位置に予め取り付けて、常設されている。また、補助梁２７は籠側吊元梁２５を設置する位置で各マシンビーム６、６の下面に常設されている。
【００２４】
まず、図５に示すように常設された籠側吊元梁２５を各マシンビーム６、６から外す。籠側吊元梁２５を外すときには、図６及び図７に示すように、シム３５を止めているボルト３０ａ及びナット３０ｂを籠側吊元梁２５の梁材２５ａ、２５ｂから外すと共にピン受け２５ｃの吊元ピン３３を外す。
【００２５】
次に、図８に示すように、籠側吊元梁２５の各梁材２５ａ、２５ｂを補助梁２７の位置へ移動した後、常設位置（図６参照）から外したシム３５、ボルト３０ａ、ナット３０ｂを補助梁２７の位置で、梁材２５ａ、２５ｂに取り付ける。
（２）チェーンブロック設置工程
機械室７で、図９に示すように、チェーンブロック３１の掛けフック３１ａを籠側吊元梁２５の一対の梁材２５ａ、２５ｂ間に挿入し、吊元ピン３３をピン受け２５ｃ、２５ｃに挿通して抜けないように固定する。次に、チェーンブロック３１の吊フック３１ｂ及びチェーンをロープ通り穴（図示せず）からガバナ室９に降ろす。
（３）メインロープ吊具取付工程
ガバナ室９で、メインロープ１５のロープカバー（図示せず）を外し、メインロープ１５を露出した状態にする。そして、図１０及び図１１に示すように、一対の押さえ金具３７、３７でメインロープ１５を挟み、押さえ金具３７、３７の上側をボルト４２ａとナット４２ｂ（図１２（ｃ）参照）で固定する。尚、図１０では押さえ金具３７、３７のボルト４２ａ及びナット４２ｂの位置に付されている記号は省略している。図１１及び図１２に示すように、メインロープ１５の各ロープ１５ａは、ロープ溝３７ａに配置される。押さえ金具３７、３７の下側は吊プレート３９、３９で挟み、ボルト４４ａとナット４４ｂとで固定する。図１１に示すように、吊プレート３９、３９の左右端部にはシャックル４１を挟んだ状態でピン４３をシャックル４１に挿通して固定する。尚、メインロープ吊具取付工程では、ガバナ室９の床に開口されているロープ通り穴９ａにメインロープ１５を囲む開口塞ぎ板（図示せず）を設置して、ボルト類の落下やロープドロー（ロープの振れ）を防止する。
（４）非常止め解除工程
ガバナ室９で、チェーンブロック３１のチェーンを巻き上げて、メインロープ吊具２９を上昇させることで籠１１を上昇させる。これにより、図３に示すように、非常止め装置１９では、ガイドレール１７に対して相対的に楔２２ａ、２２ｂが下降して、ガイドレール１７の刃部１７ａから離れて、刃部１７ａとの圧接が離れ、非常止め装置１９の作動が解除される。
【００２６】
尚、エレベータの復帰後は、ガバナ室９では、チェーンブロック３１の吊フック３１ｂをメインロープ吊具２９から外した後、メインロープ吊具２９をメインロープ１５から外し、ロープカバー（図示せず）を復帰する。また、機械室７では、チェーンブロック３１の掛けフック３１ａを籠側吊元梁２５から外し、籠側吊元梁２５をマシンビーム６から外してその常設位置に戻す。
【００２７】
次に、第１実施形態の作用効果について説明する。エレベータの復帰作業は、図１１に示すように、ガバナ室９でメインロープ１５にメインロープ吊具２９を取付け、メインロープ吊具２９を引き上げる構成であるから、籠１１が引き上げ困難な位置にある場合でも、籠１１の引き上げが容易にできる。
【００２８】
また、第１実施形態によれば、図９及び図１０示すように、チェーンブロック３１を籠側吊元梁２５とメインロープ吊具２９とに掛けてチェーンを巻き上げているので、簡易な構成でメインロープ吊具２９を引き上げてエレベータの復帰ができる。
【００２９】
エレベータの復帰作業は、機械室７とガバナ室９とで行い、昇降路３に入る必要がないので、安全である。
【００３０】
籠側吊元梁２５及び補助梁２７はマシンビーム６に常設してあるから、エレベータの復帰作業のときに、これらを機械室７へ搬送しなくて済むので、この点でもエレベータの復帰作業が容易にできる。
【００３１】
図１０及び図１１に示すように、メインロープ吊具２９の一対の押さえ金具３７、３７には、各メインロープ１５を配置するロープ溝３７ａがメインロープ１５のロープ１５ａの数だけ形成してあり、一度にメインロープ１５全体を挟んで固定できるので、メインロープ吊具２９の設置作業が容易にできる。
【００３２】
図１２及び図１３に示すように、各押さえ金具３７、３７には、ボルト４２ａ、ナット４２の取付け位置にそれぞれ記号を付してあるので、ボルト４２ａとナット４２ｂの締め付け作業を二人の作業者が両側からするときに作業者が記号を言いながら締め付けすることで、一致したボルト４２ａとナット４２ｂの締め付けが容易にできる。
【００３３】
以下に、他の実施形態を説明するが、以下に説明する実施形態では、上述した第１実施形態と同一の作用効果を奏する部分には同一の符号を付することによりその部分の説明を省略し、以下の説明では、第１実施形態と主に異なる点を説明する。  
[第２実施形態]
図４、図５及び図１４〜図１９を参照して第２実施形態を説明する。第２実施形態は、釣合錘１３の非常止め装置１９が作動してエレベータの昇降が停止した場合の復帰装置と復帰方法である。
【００３４】
図４に示すように、第２実施形態のエレベータの復帰装置は、釣合錘側吊元梁（吊元梁）４５と、吊ロープ４７と、メインロープ吊具２９（図１１参照）と、チェーンブロック３１（図１０及び図１９参照）とを備えている。図４に示すように、吊ロープ４７は合計４本ある。
【００３５】
図５に示すように、釣合錘側吊元梁４５は、一対のマシンビーム６、６の端部に常設されている。釣合錘側吊元梁４５は、垂直部４５ａと、垂直部４５ａの上端で巻上機５（図２参照）側に突設する上片４５ｂと、垂直部４５ａの下端で巻上機５側に突設する下片４５ｃとを有し、垂直部４５ａと上片４５ｂと下片４５ｃとで断面略コ字形状を成している。釣合錘側吊元梁４５には上片４５ｂに吊ロープ４７を通す挿通孔（図示せず）が２個を一組として、２組形成してあり、合計４個の挿通孔が形成されている。上片４５ｂにおいて各組の挿通孔に対応する位置には、対応する挿通孔が形成された台座ブロック４９が固定されている。台座ブロック４９は間隔をあけて２個設けてある。台座ブロック４９は上面が巻上機５側を高くして傾斜されている。
【００３６】
また、釣合錘側吊元梁４５は、一対のマシンビーム６、６の上端に取付けたアダプタ５３を介して固定されている。
【００３７】
図４及び図１７に示すように、釣合錘側吊元梁４５を使用してエレベータの復帰作業をするときには、機械室７において、各台座ブロック４９及び釣合錘側吊元梁４５の挿通孔に、吊ロープ４７の上端部に設けてあるロッド部４７ａを挿通して、ナット４７ｂで固定する。図４に示すように、吊ロープ４７の下端部には吊輪４７ｃが形成してあり、吊輪４７ｃは、図１８及び図１９に示すように、釣合錘側のロープ通り穴１５ｂからガバナ室９に降ろす。尚、図１９では吊輪４７ｃは簡略化して示している。
【００３８】
図４に示すように、吊ロープ４７は、２本を一組として用いており、図１９に示すように、各２本の吊ロープ４７の吊輪４７ｃにチェーンブロック３１の掛けフック３１ａを掛けてある。
【００３９】
その他の構成、即ち、メインロープ吊具２９及びチェーンブロック３１の構成は上述した第１実施形態と同じである。
【００４０】
ここで、釣合錘側吊元梁４５の設置について説明する。図１４に示すように、一対のマシンビーム６、６の端部に固定してあるアングル５１のボルト５１ａを外して、図１５に示すように、アダプタ５３を、アングル５１を外したボルト５１ａを流用して固定する。その後、図１６に示すように、アダプタ５３の上に、台座ブロック４９を固定した釣合錘側吊元梁４５を載置して、マシンビーム６、６と重ならない位置で釣合錘側吊元梁４５をボルト５２で固定する。
【００４１】
次に、第２実施形態に係るエレベータの復帰方法を説明する。第２実施形態では、マシンビーム６、６に釣合錘側吊元梁４５は常設されているので、第１実施形態における（１）吊元梁設置工程はなく、これに代えて（１）吊ロープ設置工程がある。
（１）吊ロープ設置工程
図４及び図１７に示すように、機械室７で、吊ロープ４７のロッド部４７ａを釣合錘側吊元梁４５の上片４５ｂと台座ブロック４９の挿通孔に斜め下から通して、ナット４７ｂで固定する。そして、吊ロープ４７の吊輪４７ｃをロープ通り穴１５ｂ（図１８参照）からガバナ室９に降ろす。ロープ通り穴１５ｂの縁には吊ロープ４７が当たる部分に当材（かませ）５５を取り付けておく。
（２）チェーンブロック設置工程
第２実施形態のチェーンブロック設置工程では、図１９に示すように、ガバナ室９で、チェーンブロック３１の掛けフック３１ａを吊ロープ４７の吊輪４７ｃに掛けることが上述した第１実施形態と異なっている。その他の工程は上述した第１実施形態と同じである。
（３）メインロープ吊具取付工程及び（４）非常止め解除工程は、第１実施形態と同じである。
【００４２】
図４に示すように、この第２実施形態によれば、釣合錘側吊元梁４５の構成及び釣合錘側吊元梁４５に吊ロープ４７を取り付けることが、第１実施形態と異なっており、その他の構成及び工程は第１実施形態と同じであるから、第１実施形態における籠側吊元梁２５に係る効果を除いて、第１実施形態と同様の作用効果を奏することができる。
【００４３】
更に、第２実施形態では、釣合錘側吊元梁（吊元梁）４５は、常設してあるから、エレベータの復帰作業に際してその取付け工程が不要であり、更に作業が簡易である。
[第３実施形態]
次に、図２０〜３４を参照して、第３実施形態について説明する。第１実施形態では、籠１１と釣合錘１３をつないでいるメインロープ１５（図１参照）が、籠１１側や釣合錘１３側で２：１や４：１などのローピングで巻上機５の荷重を軽減している場合に、非常止め装置を解除するための引き上げ量が多くなる場合に使用するものである。
【００４４】
尚、図２０に示すエレベータの復帰装置は、釣合錘側のメインロープ１５を吊上げる例を示し、図３４に示すエレベータの復帰装置は籠側のメインロープ１５を吊上げる例を示すものであり、取付位置が異なるだけで、エレベータの復帰装置の構成及び復帰方法の工程は同じである。また、図２０は、吊ロープ用吊具６１に吊ロープ４７（図３４参照）を装着する前の状態を示している。
【００４５】
図２０及び図３４に示すように、第３実施形態に係るエレベータの復帰装置は、吊元梁ユニット５７と、吊ロープ４７（図３４参照）と、吊ロープ用吊具６１を有することが第１実施形態と異なっている。
【００４６】
図２０及び図３４に示すように、吊元梁ユニット５７は、一対の支柱６３と、一対の支柱の上端間に架設した吊元梁６５と、第１補助柱６７ａ、第２補助柱６７ｂとを備えている。各支柱６３の下端６３ａはマシンビーム６、６の土台６９ａ、６９ｂ、６９ｃに取付られている。各土台６９ａ、６９ｂ、６９ｃはマシンビーム６、６に常設されている。第１補助柱６７ａは、支柱６３の上端とマシンビーム６の間に取付けられており、第２補助柱６７ｂは吊元梁６５と支柱６３との間に取付けられている。
【００４７】
図２１に示すように、籠側で反ヒッチ側の土台（第１土台）６９ａは、図２２に示すように、マシンビーム６の上面及び下面にボルトナットで固定した固定板７１のクリップ７１ａに側方から挿入してボルトナットで固定されている。
【００４８】
図２１に示すように、釣合錘側で反ヒッチ側の土台（第２土台）６９ｂは、図２３に示すように、下端部（リブ部）をマシンビーム６の下片６ａに乗せて、マインビームのリブ６ｃにボルトナットで固定されている。
【００４９】
図２１に示すように、ロープヒッチ側の土台（第３土台）６９ｃは、図２４に示すように、マシンビーム６でロープヒッチ７０の横に台板６８を取付けて、台板６８に固定されている。
【００５０】
図２８（ａ）（ｃ）に示すように、吊元梁６５は、互いに間隔をあけて設けた一対の梁材６５ａ、６５ｂを有し、各梁材を支柱６３、６３の上端にボルトナットで固定してあると共に図２８（ｂ）に示すように一対の各梁材６５ａ、６５ｂの長手方向中央部には吊元ピン７３が固定されている。
【００５１】
図３２及び図３３に示すように、吊ロープ用吊具６１は、中空を有するブロック状であり、中央部にピン６１ａが設けてあり、左右に吊ロープ４７のロッド部４７ａを挿通する挿通部６１ｂが設けてある。
【００５２】
吊ロープ４７は上端部のロッド部４７ａを吊ロープ用吊具６１の挿通部６１ｂに下から挿通してナット７５で固定してある。図３４に示すように、吊ロープ４７下端部には吊輪４７ｃが形成してあり、メインロープ吊具２９のピン４３に掛けてある。
【００５３】
図３０（ｂ）及び図３１に示すように、チェーンブロック３１は掛けフック３１ａを吊元梁６５の吊元ピン７３に掛けてあり、図３２及び図３３に示すように、吊フック３１ｂは吊ロープ用吊具６１のピン６１ａに掛けてある。
【００５４】
次に、第３実施形態によるエレベータの復帰方法について説明する。まず、図２０で示す釣合錘１３（図１参照）側のメインロープ１５を吊上げる場合について説明する。まず、図２５に示すように、第３実施形態の吊元梁ユニット５７を設置する前に、マシンビーム６、６の釣合錘側に取付けてある油飛散防止カバー７６及びその固定用アングル７８を外し、図２６に示す状態にする。
（１）吊元梁ユニット設置工程
図２７に示すように、機械室７で、吊元梁ユニット５７の支柱６３の各下端部を、それぞれマシンビーム６、６に常設してある土台６９ａ、６９ｃにボルトナットで固定する。次に、図２８（ａ）に示すように、支柱６３、６３の上端に吊元梁６５を架設する。吊元梁６５の架設は、各吊元梁材６５ａ、６５ｂを支柱６３、６３の上端にボルトナットで固定する。
【００５５】
図２９に示すように、第１補助柱６７ａの上端を支柱６３の上端に取付け、下端を土台６９ａ又は土台６９ｃに固定する。
【００５６】
（２）チェーブロック設置工程
図２０に示すように、機械室で、チェーンブロック３１の掛けフック３１ａを吊元梁６５の吊元ピン７３に掛ける。この第３実施形態では、吊元梁６５は高い位置にあるので、掛けフック３１ａは、つぎのようにして掛ける。図３０（ｂ）に示すように、ロープ８１の一端８１ａを吊元梁６５に取付けた一方のピン８２に固定し、チェーンブロック３１の上側ブロックにロープ８１をＵ字状に通して、吊元梁６５に取付けたパイプ８３に掛けて下方に引き回し、図３０（ａ）に示すように、マシンビーム６の下を通して、ロープ８１の他端８１ｂを引き上げ状態にする。そして、ロープ８１の他端８１ｂを引き上げて、チェーンブロック３１の掛けフック３１ａを吊元梁６５の梁材６５ａ、６５ｂに案内して、掛けフック３１ａに吊元ピン７３を刺して吊元ピン７３を固定する。そして、図３３（ｂ）に示すように、チェーンブロック３１の吊フック３１ｂを吊ロープ用吊具６１に挿入した後、ピン６１ａを挿入してチェーンブロック３１に吊ロープ用吊具６１を吊り下げる。
【００５７】
尚、図３１に示すように、第２補助柱６７ｂは、チェーンブロック３１の掛けフック３１ａを吊元ピン７３に掛けた後、吊元梁６５と各支柱６３との間に固定する。
【００５８】
（３）メインロープ吊具取付工程は、第１実施形態のメインロープ吊具取付工程と同じである。
【００５９】
（４）吊ロープ取付工程
メインロープ吊具取付工程後に、吊ロープ４７をメインロープ吊具２９に下記のようにして取付ける。
【００６０】
図３２に示すように、吊ロープ用吊具６１において、左右に設けた吊ロープ４７のロッド部（上端部）４７ａを吊ロープ用吊具６１の挿通部６１ｂに下から挿通してナット７５で吊ロープ用吊具６１に固定する。次に、各吊ロープ４７の吊輪（下端）４７ｃをガバナ室９に降ろし、図３４に示すように、ガバナ室９で吊ロープ４７の吊輪４７ｃをメインロープ吊具２９の吊プレート３９、３９間のピン４３を通して固定する（図１２参照）。
【００６１】
（５）非常止め解除工程
機械室７で、チェーンブロック３１のチェーンを巻き上げて、メインロープ吊具２９を上昇させることで籠を上昇させる。
【００６２】
この第３実施形態では、籠側吊元梁２５の効果を除いて上述した第１実施形態と同様の作用効果を得ることができると共に吊元梁６５を支柱６３で高くした吊元梁ユニット５７を用いているので、メインロープ吊具２９の吊り上げ高さ（距離）を長くとることができる。
【００６３】
また、第３実施形態では、図２０に示すように吊元梁６５を釣合錘側に設置する場合や図３４に示すように吊元梁６５を籠側に設置する場合には、支柱６３及び第１補助柱６７ａの取付け位置を変えるだけであるから、作業性が良い。
【００６４】
上述した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに、特許請求の範囲に記載された発明とその均等の範囲に含まれる。
【００６５】
例えば、第１〜第３実施形態において、メインロープ吊具２９を籠側のメインロープ１５に設置して吊り上げるときには、エレベータの乗り場ドアまで引き上げて、籠１１内の乗員を救出しても良い。
【符号の説明】
【００６６】
１…エレベータ、５…巻上機、６…マシンビーム、７…機械室、８…調速機、９…ガバナ室、１１…籠、１３…釣合錘、１５…メインロープ、１５ｂ…ロープ通り穴、１９…非常止め装置、２５…籠側吊元梁（吊元梁）、２９…メインロープ吊具、３１…チェーンブロック、３１ａ…掛けフック、３１ｂ…吊フック、４５…釣合錘側吊元梁（吊元梁）、４７…吊ロープ、５７…吊元梁ユニット、６１…吊ロープ用吊具、６３…支柱、６５…吊元梁。
【図１】
2019156635.tif 000003
【図２】
2019156635.tif 000004
【図３】
2019156635.tif 000005
【図４】
2019156635.tif 000006
【図５】
2019156635.tif 000007
【図６】
2019156635.tif 000008
【図７】
2019156635.tif 000009
【図８】
2019156635.tif 000010
【図９】
2019156635.tif 000011
【図１０】
2019156635.tif 000012
【図１１】
2019156635.tif 000013
【図１２】
2019156635.tif 000014
【図１３】
2019156635.tif 000015
【図１４】
2019156635.tif 000016
【図１５】
2019156635.tif 000017
【図１６】
2019156635.tif 000018
【図１７】
2019156635.tif 000019
【図１８】
2019156635.tif 000020
【図１９】
2019156635.tif 000021
【図２０】
2019156635.tif 000022
【図２１】
2019156635.tif 000023
【図２２】
2019156635.tif 000024
【図２３】
2019156635.tif 000025
【図２４】
2019156635.tif 000026
【図２５】
2019156635.tif 000027
【図２６】
2019156635.tif 000028
【図２７】
2019156635.tif 000029
【図２８】
2019156635.tif 000030
【図２９】
2019156635.tif 000031
【図３０】
2019156635.tif 000032
【図３１】
2019156635.tif 000033
【図３２】
2019156635.tif 000034
【図３３】
2019156635.tif 000035
【図３４】
2019156635.tif 000036